(57)【要約】【課題】コードレス親子電話装置において、子機設置場所の人体検知状況を親機設置場所に居る人に知らせる。【解決手段】人体検知結果に応じた着信音制御情報を親機１０の記憶部１３に登録しておき、着信時に親機１０は子機２０に対して人体検知を指示し、子機２０は人体検知センサ２３により検知した人体検知結果を親機１０に送信し、親機１０は子機２０から受信した人体検知結果に対応して記憶部１３に登録された着信音制御情報に基づき親機着信音出力部１２の設定を行って着信音を出力させる。【選択図】      図１
2009027657.tif 000002
【特許請求の範囲】
【請求項１】
電話回線に接続された親機と、無線通信により前記親機との交信を行う子機とを備えたコードレス親子電話装置であって、
前記親機は、着信音を出力する親機着信音出力部と、人体検知結果に応じた着信音制御情報が登録された記憶部と、着信時に前記子機に対して着信音鳴動と人体検知を指示するとともに、前記子機から受信した人体検知結果に対応して前記記憶部に登録された着信音制御情報に基づき前記親機着信音出力部の設定を行って着信音を出力させる親機制御部とを有し、
前記子機は、人体を検知する人体検知センサと、着信音を出力する子機着信音出力部と、前記親機からの指示を受けて前記子機着信音出力部から着信音を出力させるとともに、前記人体検知センサにより検知した子機設置場所における人体検知結果を前記親機に送信する子機制御部とを有することを特徴とするコードレス親子電話装置。
【請求項２】
前記親機制御部は、ユーザが着信に応答するまで前記子機に対して所定時間毎に人体検知を指示し、前記子機から人体検知結果を受信する度に人体検知結果に対応して前記記憶部に登録された着信音制御情報に基づき前記親機着信音出力部の設定を更新することを特徴とする請求項１記載のコードレス親子電話装置。
【請求項３】
電話回線に接続された親機と、無線通信により前記親機との交信を行う子機とを備えたコードレス親子電話装置であって、
前記親機は、人体を検知する親機人体検知センサと、着信音を出力する親機着信音出力部と、人体検知結果に応じた着信音制御情報が登録された親機記憶部と、着信時に前記親機人体検知センサにより検知した親機設置場所における人体検知結果を前記子機に送信するとともに前記子機に対して人体検知を指示し、前記子機から受信した人体検知結果に対応して前記親機記憶部に登録された着信音制御情報に基づき前記親機着信音出力部の設定を行って着信音を出力させる親機制御部とを有し、
前記子機は、人体を検知する子機人体検知センサと、着信音を出力する子機着信音出力部と、人体検知結果に応じた着信音制御情報が登録された子機記憶部と、前記親機からの指示を受けて前記子機人体検知センサにより検知した子機設置場所における人体検知結果を前記親機に送信するとともに、前記親機から受信した人体検知結果に対応して前記子機記憶部に登録された着信音制御情報に基づき前記子機着信音出力部の設定を行って着信音を出力させる子機制御部とを有することを特徴とするコードレス親子電話装置。
【請求項４】
前記親機制御部は、ユーザが着信に応答するまで前記親機人体検知センサおよび前記子機に対して所定時間毎に人体検知を指示するとともに前記親機人体検知センサにより検知した人体検知結果を前記子機に送信し、前記子機から人体検知結果を受信する度に受信した人体検知結果に対応して前記親機記憶部に登録された着信音制御情報に基づき前記親機着信音出力部の設定を更新し、
前記子機制御部は、前記親機から人体検知を指示される度に前記子機人体検知センサにより検知した人体検知結果を前記親機に送信するとともに、前記親機から人体検知結果を受信する度に受信した人体検知結果に対応して前記子機記憶部に登録された着信音制御情報に基づき前記子機着信音出力部の設定を更新することを特徴とする請求項３記載のコードレス親子電話装置。
【請求項５】
電話回線に接続された親機と、無線通信により前記親機との交信を行う子機とを備えたコードレス親子電話装置であって、
前記親機は、時間をカウントするタイマと、着信音を出力する親機着信音出力部と、人体不在継続時間に応じた着信音制御情報が登録された記憶部と、着信がないときに前記子機に対して所定時間毎に人体検知を指示するとともに、前記子機から受信した人体検知結果に基づいて人体不在継続時間のカウントを前記タイマに指示し、着信時に前記子機に対して着信音鳴動を指示するとともに、前記タイマから取得した人体不在継続時間に対応して前記記憶部に登録された着信音制御情報に基づき前記親機着信音出力部の設定を行って着信音を出力させる親機制御部とを有し、
前記子機は、人体を検知する人体検知センサと、着信音を出力する子機着信音出力部と、前記親機からの指示を受けて前記子機着信音出力部から着信音を出力させるとともに、前記人体検知センサにより検知した子機設置場所における人体検知結果を前記親機に送信する子機制御部とを有することを特徴とするコードレス親子電話装置。
【請求項６】
電話回線に接続された親機と、無線通信により前記親機との交信を行う子機とを備えたコードレス親子電話装置であって、
前記親機は、人体を検知する親機人体検知センサと、時間をカウントする親機タイマと、着信音を出力する親機着信音出力部と、人体不在継続時間に応じた着信音制御情報が登録された親機記憶部と、着信がないときに前記親機人体検知センサにより検知した親機設置場所における人体検知結果を所定時間毎に前記子機に送信するとともに前記子機に対して所定時間毎に人体検知を指示し、前記子機から受信した人体検知結果に基づいて人体不在継続時間のカウントを前記親機タイマに指示し、着信時に前記子機に対して着信音鳴動を指示するとともに、前記親機タイマから取得した人体不在継続時間に対応して前記親機記憶部に登録された着信音制御情報に基づき前記親機着信音出力部の設定を行って着信音を出力させる親機制御部とを有し、
前記子機は、人体を検知する子機人体検知センサと、時間をカウントする子機タイマと、着信音を出力する子機着信音出力部と、人体不在継続時間に応じた着信音制御情報が登録された子機記憶部と、前記子機人体検知センサにより検知した子機設置場所における人体検知結果を前記親機に送信するとともに、前記親機から受信した人体検知結果に基づいて人体不在継続時間のカウントを前記子機タイマに指示し、前記親機から着信音鳴動指示を受信したときに前記子機タイマから取得した人体不在継続時間に対応して前記子機記憶部に登録された着信音制御情報に基づき前記子機着信音出力部の設定を行って着信音を出力させる子機制御部とを有することを特徴とするコードレス親子電話装置。
【請求項７】
前記人体検知結果は人体の存否情報であることを特徴とする請求項１〜６のいずれか１項記載のコードレス親子電話装置。
【請求項８】
前記人体検知結果は人体の存否情報および人体との距離情報であることを特徴とする請求項１〜４のいずれか１項記載のコードレス親子電話装置。
【請求項９】
前記親機に発光素子をさらに備え、前記親機制御部は前記子機と人体との距離に応じて前記発光素子の点滅速度制御を行うことを特徴とする請求項８記載のコードレス親子電話装置。
【請求項１０】
前記着信音制御情報は、着信音の音量を規定するものであることを特徴とする請求項１〜９のいずれか１項記載のコードレス親子電話装置。
【請求項１１】
前記着信音制御情報は、着信音の種類を規定するものであることを特徴とする請求項１〜９のいずれか１項記載のコードレス親子電話装置。
【請求項１２】
コードレス親子電話装置における着信音制御方法であって、着信時に子機設置場所における人体の存否を検出して親機に送信し、前記親機は前記子機設置場所における人体の存否に応じて親機から出力する着信音を制御することを特徴とする着信音制御方法。
【請求項１３】
コードレス親子電話装置における着信音制御方法であって、着信時に子機設置場所における人体の存否および人体との距離を検出して親機に送信し、前記親機は前記子機設置場所における人体の存否および人体との距離に応じて親機から出力する着信音を制御することを特徴とする着信音制御方法。
【請求項１４】
コードレス親子電話装置における着信音制御方法であって、着信がないときに子機設置場所における人体の存否を検出して親機に送信し、前記親機は前記子機から受信した人体存否情報を基に人体不在継続時間をカウントし、着信時に前記親機は前記子機設置場所における人体不在継続時間に応じて親機から出力する着信音を制御することを特徴とする着信音制御方法。
【発明の詳細な説明】
【技術分野】
【０００１】
本発明は、電話機設置場所における人体検知結果に応じて着信音を制御するコードレス親子電話装置および着信音制御方法に関する。
【背景技術】
【０００２】
着信音制御に関する関連技術は、例えば、特開平５−１４４５３号公報（特許文献１）に開示されている。この特許文献１においては、
・赤外線センサ等の人体検知センサをコードレス電話機の基地局（電話回線に接続された親機）に備え、
・基地局から所定距離内に人体が存在することを人体検知センサが検出すると、基地局は着信音量レベルが小さくなるように変更して着信音を鳴動させる、
ことが記載されている。
【０００３】
また、着信音制御に関する他の関連技術は、例えば、特開２００６−１０９０６８号公報（特許文献２）に開示されている。この特許文献２においては、
・それぞれ異なる部屋に置かれたコードレス電話機の親機，子機にＲＦＩＤ(Radio Frequency Identification)タグリーダを備え、
・着信時に、親機および子機のＲＦＩＤタグリーダに対してユーザが所持するＲＦＩＤタグに設定されたユーザ識別情報の取得を指示し、
・ユーザ識別情報の取得の成功，失敗に応じて着信音の音量を変更するようにしている。例えば、ＲＦＩＤタグを所持するユーザが子機の設置された部屋に居たとすると、親機から出力される着信音は通常のレベルとし、子機から出力される着信音は通常のレベルより小さな音量レベルとなるように制御する、
ことが記載されている。
【０００４】
【特許文献１】特開平５−１４４５３号公報（段落「００２２」、図２）
【特許文献２】特開２００６−１０９０６８号公報（段落「００１３」〜「００１８」、図１）
【発明の開示】
【発明が解決しようとする課題】
【０００５】
上述した特許文献１または２においては、近くにユーザが居る電話機の着信音は小さな音量とし、ユーザが近くに居ない電話機の着信音は通常の音量（＞小さな音量）としている。換言すれば、その場所にユーザが居るか居ないかでその場所に設置された電話機の着信音を制御することで、ユーザに対して適切な音量で着信を知らせることを目的としている。一方、コードレス親子電話装置において、親機から離れた場所に設置されることの多い子機周辺の人の存否に応じて親機の着信音を制御するようにすれば、着信時に子機周辺の人の存否を親機周辺の人に知らせることができる。そして、子機周辺に人が居る場合は子機から着信に応答するといったルールを決めておくことにより、親機，子機の両方で電話に応答してしまったり、お互いに譲り合って長時間応答しないといった事態を回避することができる。しかし、上述した特許文献１または２においては、以上のような事態回避については考慮されていない。すなわち、子機設置場所の人体検知結果により子機自体の着信音を制御することは可能であるが、相手電話機である親機側の着信音を制御することについては何ら考慮されていない。
【０００６】
本発明の目的は、以上の課題を解決するコードレス親子電話装置および着信音制御方法を提供することにある。
【課題を解決するための手段】
【０００７】
本発明の第１のコードレス親子電話装置は、電話回線に接続された親機と、無線通信により前記親機との交信を行う子機とを備えたコードレス親子電話装置であって、
前記親機は、着信音を出力する親機着信音出力部と、人体検知結果に応じた着信音制御情報が登録された記憶部と、着信時に前記子機に対して着信音鳴動と人体検知を指示するとともに、前記子機から受信した人体検知結果に対応して前記記憶部に登録された着信音制御情報に基づき前記親機着信音出力部の設定を行って着信音を出力させる親機制御部とを有し、
前記子機は、人体を検知する人体検知センサと、着信音を出力する子機着信音出力部と、前記親機からの指示を受けて前記子機着信音出力部から着信音を出力させるとともに、前記人体検知センサにより検知した子機設置場所における人体検知結果を前記親機に送信する子機制御部とを有する。
【０００８】
本発明の第２のコードレス親子電話装置は、電話回線に接続された親機と、無線通信により前記親機との交信を行う子機とを備えたコードレス親子電話装置であって、
前記親機は、時間をカウントするタイマと、着信音を出力する親機着信音出力部と、人体不在継続時間に応じた着信音制御情報が登録された記憶部と、着信がないときに前記子機に対して所定時間毎に人体検知を指示するとともに、前記子機から受信した人体検知結果に基づいて人体不在継続時間のカウントを前記タイマに指示し、着信時に前記子機に対して着信音鳴動を指示するとともに、前記タイマから取得した人体不在継続時間に対応して前記記憶部に登録された着信音制御情報に基づき前記親機着信音出力部の設定を行って着信音を出力させる親機制御部とを有し、
前記子機は、人体を検知する人体検知センサと、着信音を出力する子機着信音出力部と、前記親機からの指示を受けて前記子機着信音出力部から着信音を出力させるとともに、前記人体検知センサにより検知した子機設置場所における人体検知結果を前記親機に送信する子機制御部とを有する。
【０００９】
本発明の第１の着信音制御方法は、コードレス親子電話装置における着信音制御方法であって、着信時に子機設置場所における人体の存否を検出して親機に送信し、前記親機は前記子機設置場所における人体の存否に応じて親機から出力する着信音を制御することを特徴とする。
【００１０】
本発明の第２の着信音制御方法は、コードレス親子電話装置における着信音制御方法であって、着信がないときに子機設置場所における人体の存否を検出して親機に送信し、前記親機は前記子機から受信した人体存否情報を基に人体不在継続時間をカウントし、着信時に前記親機は前記子機設置場所における人体不在継続時間に応じて親機から出力する着信音を制御することを特徴とする。
【発明の効果】
【００１１】
本発明によれば、コードレス親子電話装置において、子機設置場所の人の検知結果を親機の着信音に反映させることにより、親機設置場所に居る人は子機設置場所の人の検知状況を知ることができるという効果が得られる。
【発明を実施するための最良の形態】
【００１２】
本発明の実施の形態について図面を参照して詳細に説明する。
【００１３】
図１は本発明の第１の実施の形態の構成を示す図であり、本発明のコードレス親子電話装置は、それぞれ異なる場所に置かれた親機１０と子機２０とを備えている。
【００１４】
親機１０は、図示しない電話回線に接続された電話機であり、親機無線部１１と、親機着信音出力部１２と、記憶部１３と、親機制御部１４とを備えている。親機無線部１１は子機２０の子機無線部２１と無線通信により交信を行う無線装置であり、親機着信音出力部１２は親機制御部１４から音量レベルを設定されて着信音を出力するスピーカ等の音響出力装置である。記憶部１３は読み出し，書き込み可能な記憶装置であり、この記憶部１３には着信音制御情報である子機ユーザ検知状況別音量レベル情報１３１が予め格納されている。子機ユーザ検知状況別音量レベル情報１３１は、図２（子機ユーザ検知状況別音量レベル情報１３１として格納されるデータの一例を示す図）に示すように、子機２０周辺（人体検知センサ２３の検出範囲）の人の存否に対応した音量レベル情報である。図２によれば、子機２０周辺で人が検知された場合は音量レベルＡ、検知されなかった場合は音量レベルＢ（＞音量レベルＡ）で親機１０の着信音が出力されることになる。親機制御部１４は、ＣＰＵ(Central Processing Unit)等の制御装置であり、プログラムにより動作を制御される。この親機制御部１４は、着信時に子機２０に対して人体検知センサ２３による人の検知を要求する機能と、検知結果に応じて親機着信音出力部１２の音量レベルを変更する機能とを備えている。
【００１５】
子機２０は、無線通信による親機１０との交信により親機１０の回線を利用可能なコードレス電話機であり、子機無線部２１と、子機着信音出力部２２と、人体検知センサ２３と、子機制御部２４とを備えている。子機無線部２１は親機１０の親機無線部１１と無線通信により交信を行う無線装置であり、子機着信音出力部２２は着信音を出力するスピーカ等の音響出力装置である。人体検知センサ２３は、例えば、赤外線センサ（焦電型赤外線センサ）であり、人体から出ている体温に応じた波長（例えば、６〜１４μｍ）の赤外線を検知することによって人体を検知する。従って、体温に応じた波長だけを透過するフィルタをつけることで人体だけを検知するセンサとなる。子機制御部２４はＣＰＵ等の制御装置であり、プログラムにより動作を制御される。この子機制御部２４は、親機１０からの無線通信による指示により、着信時に子機着信音出力部２２から着信音を鳴動させるとともに、人体検知センサ２３を起動して人体検知結果を取得し親機１０に送信する機能を備えている。
【００１６】
次に、本発明の第１の実施の形態の動作について図１〜図３を参照して説明する。図３は、本発明の第１の実施の形態の動作を示すフローチャートである。
【００１７】
図３を参照すると、コードレス親子電話装置に着信があると（ステップＡ１）、親機１０の親機制御部１４は着信を検出し、親機無線部１１を介して子機２０に対して着信音鳴動および人体検知を指示する（ステップＡ２）。子機２０の子機制御部２４は、子機無線部２１を介して着信音鳴動および人体検知の指示を受信すると、まず、子機着信音出力部２２から着信音を鳴動させる。このとき、着信音の音量レベルは人体検知結果に影響されず、予め設定された音量レベルとする（ステップＡ３）。次に、子機制御部２４は人体検知センサ２３を起動し、人体検知センサ２３は検知範囲内に人が存在するかを検知する（ステップＡ４）。そして、子機制御部２４は人体検知センサ２３から取得した人体検知結果情報（人の存否情報）を、子機無線部２１を介して親機１０に送信する（ステップＡ５）。
【００１８】
親機１０の親機制御部１４は、子機２０から受信した人体検知結果情報を基に、子機２０において人が検知されたか否かを判別する（ステップＡ６）。人が検知されなかった場合は、親機制御部１４は子機ユーザ検知状況別音量レベル情報１３１を参照し、人が検知されなかった場合の音量レベルである第１の音量レベル（図２に示す音量レベルＢ）を取得する。そして、親機制御部１４は第１の音量レベルを親機着信音出力部１２に設定して着信音の出力を指示し、親機着信音出力部１２は第１の音量レベルで着信音を出力する（ステップＡ７）。人が検知された場合は、親機制御部１４は子機ユーザ検知状況別音量レベル情報１３１を参照し、人が検知された場合の音量レベルである第２の音量レベル（図２に示す音量レベルＡ）を取得する。そして、親機制御部１４は第２の音量レベル（＜第１の音量レベル）を親機着信音出力部１２に設定して着信音の出力を指示し、親機着信音出力部１２は第２の音量レベルで着信音を出力する（ステップＡ８）。
【００１９】
その後、ユーザが着信に応答するまで親機制御部１４は子機２０に対して人体検知を繰り返し要求し（ステップＡ９→ステップＡ１０）、ステップＡ４〜ステップＡ１０の動作を繰り返す。ここでの人体検知要求は、着信音鳴動中に子機２０設置場所における人の出入り（存否）の変化を検出し、その変化に追随して親機１０における着信音の音量レベルを変更するためである。なお、この人体検知要求は着信音鳴動状態（着信後、ユーザが応答するまで）において所定時間毎（例えば、３秒毎）に行われる。一方、親機１０または子機２０のいずれかからユーザが着信に応答すると、親機制御部１４は親機１０および子機２０における着信音を停止させ、ユーザは通話状態に入る（ステップＡ９→ステップＡ１１）。
【００２０】
以上説明したように、本実施の形態においては、着信時に子機２０設置場所における人の存否を検出し、人の存否に応じて親機１０における着信音の音量レベルを変更するようにしている。これにより、親機１０周辺に居る人は子機２０周辺の人の存否を着信音の音量により知ることができる。そして、例えば、子機２０周辺に人が居た場合は着信に対して子機２０から応答するというルールを事前に決めておけば、親機１０，子機２０の両方で電話に応答してしまったり、お互いに譲り合って長時間応答しないといった事態を回避できるという効果が得られる。
【００２１】
また、着信時に子機２０周辺の存否を検出し親機１０の着信音の音量を決定するとともに、ユーザが応答するまでの間も子機２０周辺の存否を検出し、存否状態に変更があれば親機１０の着信音の音量をその都度変更するようにしている。これにより、着信音鳴動中（着信後、ユーザが応答するまで）における子機２０設置場所における人の出入り（存否）をリアルタイムに親機１０周辺の人に知らせることができるという効果が得られる。
【００２２】
次に、本発明の第２の実施の形態について説明する。
【００２３】
上述した第１の実施の形態においては、着信時に子機２０周辺の人の存否を検出し、着信時における存否に応じて親機１０の着信音音量を変更している。これに対し、本実施の形態においては、着信前における子機２０周辺の人の不在継続時間をカウントしておき、着信時に子機２０周辺の人の不在継続時間に応じて親機１０における着信音の音量レベルを変更するようにした点が異なっている。
【００２４】
図４は本発明の第２の実施の形態の構成を示す図であり、図１（第１の実施の形態の構成）に比べ、
・親機１０に、時間をカウントするタイマ１５を新たに備えた点、
・親機１０の記憶部１３に、子機ユーザ検知状況別音量レベル情報１３１に代わり、着信音制御情報としてタイマカウント値別音量レベル情報１３２を格納している点、
が異なっている。
タイマカウント値別音量レベル情報１３２には、図５（タイマカウント値別音量レベル情報１３２として格納されるデータの一例を示す図）に示すように、タイマ１５のカウント値に応じた音量レベルが格納されている。なお、タイマ１５のカウント値は、着信前における子機２０周辺の人の不在継続時間であり、例えば、不在継続時間がＸ分未満であれば音量レベルＡが、Ｘ分以上であれば音量レベルＢ（＞音量レベルＡ）が予め設定されている。
【００２５】
次に、本発明の第２の実施の形態の動作について図４〜図６を参照して説明する。図６は、本発明の第２の実施の形態の動作を示すフローチャートである。
【００２６】
図６を参照すると、親機１０の親機制御部１４は、コードレス親子電話装置に着信がないことをステップＢ１で検出すると、所定時間毎に子機２０に対して人体検知を繰り返し指示する（ステップＢ１→ステップＢ２）。子機２０の子機制御部２４は人体検知の指示を受信すると人体検知センサ２３を起動し、人体検知センサ２３は検知範囲内に人が存在するかを検知する（ステップＢ３）。そして、子機制御部２４は人体検知センサ２３から取得した人体検知結果情報（人の存否情報）を親機１０に送信する（ステップＢ４）。
【００２７】
親機１０の親機制御部１４は、子機２０から受信した人体検知結果情報を基に、子機２０において人が検知されたか否かを判別する（ステップＢ５）。人が検知されなかった場合は、親機制御部１４はタイマ１５が作動中かを確認し（ステップＢ６）、作動中でなければタイマ１５を起動し、タイマ１５は時間のカウントを開始する（ステップＢ７）。人が検知された場合は、親機制御部１４はタイマ１５をリセット（タイマ１５のカウント値をゼロに戻し、動作を停止）する（ステップＢ８）。ステップＢ６でＹＥＳの場合、または、ステップＢ７，Ｂ８の後、ステップＢ１に戻りステップＢ１〜ステップＢ８の動作を繰り返す。
【００２８】
ステップＢ１において、コードレス親子電話装置に着信があった場合は、親機１０の親機制御部１４は着信を検出し、子機２０に対して着信音鳴動を指示する（ステップＢ９）。子機２０の子機制御部２４は着信音鳴動指示を受信すると、子機着信音出力部２２から着信音を鳴動させる。このとき、着信音の音量レベルは人体検知結果に影響されず、予め設定された音量レベルとする（ステップＢ１０）。
【００２９】
次に、親機制御部１４はタイマ１５のカウント値を取得し（ステップＢ１１）、カウント値が所定値（例えば、Ｘ分）未満か所定値以上かを判別する（ステップＢ１２）。カウント値が所定値以上であった場合は、親機制御部１４はタイマカウント値別音量レベル情報１３２を参照し、Ｘ分以上に対応して登録されている第１の音量レベル（図５に示す音量レベルＢ）を取得する。そして、親機制御部１４は第１の音量レベルを親機着信音出力部１２に設定して着信音の出力を指示し、親機着信音出力部１２は第１の音量レベルで着信音を出力する（ステップＢ１３）。カウント値が所定値未満であった場合は、親機制御部１４はタイマカウント値別音量レベル情報１３２を参照し、Ｘ分未満に対応して登録されている第２の音量レベル（図５に示す音量レベルＡ）を取得する。そして、親機制御部１４は第２の音量レベルを親機着信音出力部１２に設定して着信音の出力を指示し、親機着信音出力部１２は第２の音量レベルで着信音を出力する（ステップＢ１４）。
【００３０】
ステップＢ１３またはステップＢ１４に続き、親機制御部１４はタイマ１５をリセット（タイマ１５のカウント値をゼロに戻し、動作を停止）する（ステップＢ１５）。その後、親機１０または子機２０のいずれかからユーザが着信に応答すると、親機制御部１４は親機１０および子機２０における着信音を停止させ、ユーザは通話状態に入る（ステップＢ１６→ステップＢ１７）。
【００３１】
以上説明したように、本実施の形態においては、子機２０周辺に所定時間以上継続して人が居なかった場合に人が存在しないと判断し、所定時間未満の不在継続時間の場合は人が存在すると判断している。これは、着信があった場合に、所定時間未満内に子機２０設置場所を離れた人は未だ子機２０の近くにいて着信音に気付く可能性が高いためである。第１の実施の形態においては、着信があった時点で子機２０周辺に人が居た場合に人が存在すると判断している。この第１の実施の形態に比べ、本実施の形態においては、着信時点では人が居なくても、着信の直前まで人が居たような場合については人が存在すると判断しているため、異なった視点で人の存在を判断できるという効果が得られる。
【００３２】
次に、本発明の第３の実施の形態について説明する。
【００３３】
上述した第１の実施の形態においては、着信時に子機２０周辺の人の存否を検出し、着信時における存否に応じて親機１０の着信音音量を変更している。これに対し、本実施の形態においては、着信時に子機２０周辺の人の存否の検出とともに、子機２０と人の間の距離を検出し、存否や距離に応じて親機１０の着信音音量を変更するようにした点が異なっている。
【００３４】
図７は本発明の第３の実施の形態の構成を示す図である。本実施の形態の構成は、図１（第１の実施の形態の構成）に比べ、親機１０の記憶部１３に、子機ユーザ検知状況別音量レベル情報１３１に代わり、着信音制御情報として子機ユーザ距離別音量レベル情報１３３を格納している点が異なっている。子機ユーザ距離別音量レベル情報１３３には、図８（子機ユーザ距離別音量レベル情報１３３として格納されるデータの一例を示す図）に示すように、人が検知されなかった場合の音量レベルＢと、距離コード，距離に応じた音量レベルＣ〜Ｅとが格納されている。なお、音量レベルＣ〜Ｅは、例えば、音量レベルＣ＜音量レベルＤ＜音量レベルＥとなっており、子機２０と人との距離が長くなる程、親機１０の着信音の音量レベルが大きくなる。
【００３５】
次に、本発明の第３の実施の形態の動作について図７〜図９を参照して説明する。図９は、本発明の第３の実施の形態の動作を示すフローチャートである。
【００３６】
なお、
・図９のステップＣ１〜Ｃ３は、図３（第１の実施の形態）のステップＡ１〜Ａ３と、
・図９のステップＣ９〜Ｃ１１は、図３のステップＡ９〜Ａ１１と、
同じであるため説明を省略し、ステップＣ４〜ステップＣ８の動作について以下に説明する。
【００３７】
人体検知の指示を受信した子機２０の子機制御部２４は、人体検知センサ２３を起動し、人体検知センサ２３は検知範囲内に人が存在するかを検知する。そして、人が存在した場合、人体検知センサ２３は人との距離を検出する。なお、人体検知センサ２３（赤外線センサ等）による人との距離の検出については、例えば、実用新案登録第３１０４７０９号公報や特開２００４−１４９１０８号公報で開示されており、また、その詳細を説明することが本発明の主旨でもないため説明は省略する（ステップＣ４）。子機制御部２４は人体検知センサ２３から取得した人体検知結果情報（人の存否情報と距離情報）を親機１０に送信する。なお、距離情報は○○ｍといった距離でもよいし、図８に示す距離コード（距離に応じて予め定めた距離識別情報）であってもよい（ステップＣ５）。
【００３８】
親機１０の親機制御部１４は、子機２０から受信した人体検知結果情報を基に、子機２０において人が検知されたか否かを判別する（ステップＣ６）。人が検知されなかった場合は、親機制御部１４は子機ユーザ距離別音量レベル情報１３３を参照し（図８参照）、人が検知されなかった場合の音量レベルである音量レベルＢを取得する。そして、親機制御部１４は音量レベルＢを親機着信音出力部１２に設定して着信音の出力を指示し、親機着信音出力部１２は音量レベルＢで着信音を出力する（ステップＣ７）。人が検知された場合は、親機制御部１４は距離情報を基に子機ユーザ距離別音量レベル情報１３３を参照し、距離に応じた音量レベル（音量レベルＣ〜Ｅのいずれか）を取得する。そして、親機制御部１４は距離に応じた音量レベルを親機着信音出力部１２に設定して着信音の出力を指示し、親機着信音出力部１２は距離に応じた音量レベルで着信音を出力する（ステップＣ８）。
【００３９】
以上説明したように、本実施の形態においては、子機２０と人との距離に応じて親機１０の着信音の音量レベルを変更している（子機２０と人との距離が長くなる程、親機１０の着信音の音量レベルを大きくしている）。これにより、第１の実施の形態に比べ、親機１０周辺の人に対して子機２０周辺の人の状況をより細かく知らせることができるという効果が得られる。
【００４０】
次に、本発明の第４の実施の形態について説明する。
【００４１】
上述した第１〜第３の実施の形態においては、子機２０周辺の人の存否や距離等に基づいて親機１０の着信音の音量レベルを変更している。これに対し、本実施の形態においては、子機２０周辺の人の存否や距離等に基づいて親機１０の着信音の音量レベルを変更するとともに、親機１０周辺の人の存否や距離等に基づいて子機２０の着信音の音量レベルを変更するようにした点が異なる。すなわち、本実施の形態は、第１〜第３の実施の形態において、親機１０周辺の人の存否や距離等に基づいて子機２０の着信音の音量レベルを変更するようにした点を、さらに追加したものである。
【００４２】
本実施の形態を第１の実施の形態に基づいて行う場合は、
図１（第１の実施の形態の構成）において、
・親機１０に、人体検知センサ２３を新たに備え、
・子機２０に、子機ユーザ検知状況別音量レベル情報１３１を含む記憶部１３を新たに備える。
【００４３】
動作については、図３に示した第１の実施の形態の動作において、以下に示す部分を修正したものとなる。
・ステップＡ２において人体検知だけを子機２０に指示し、ステップＡ３における子機２０での着信音鳴動を削除する。
・親機１０の親機制御部１４は、ステップＡ２の後に、親機１０に新たに備えた人体検知センサ２３により検知範囲内に存在する人体を検出し、人体検出結果を子機２０に送信する。
・子機２０の子機制御部２４は、ステップＡ５の後に、受信した人体検出結果を基にステップＡ６〜ステップＡ８と同じ動作を行い、子機着信音出力部２２の出力音量レベルを制御する。
・ステップＡ１０においては、子機２０だけでなく親機１０での人体検知も続けて行うよう指示する。
【００４４】
次に、本実施の形態を第２の実施の形態に基づいて行う場合は、
図４（第２の実施の形態の構成）において、
・親機１０に、人体検知センサ２３を新たに備え、
・子機２０に、タイマ１５と、タイマカウント値別音量レベル情報１３２を含む記憶部１３とを新たに備える。
【００４５】
動作については、図６に示した第２の実施の形態の動作において、以下に示す部分を修正したものとなる。
・親機１０の親機制御部１４は、ステップＢ２の後に、親機１０に新たに備えた人体検知センサ２３により検知範囲内に存在する人体を検出し、人体検出結果を子機２０に送信する。
・子機２０の子機制御部２４は、ステップＢ４の後に、受信した人体検出結果を基にステップＢ５〜ステップＢ８と同じ動作を行う。
・ステップＢ１０を削除し、代わりに、子機２０の子機制御部２４は、受信した人体検出結果を基にステップＢ１１〜ステップＢ１５と同じ動作を行い、子機着信音出力部２２の出力音量レベルを制御する。
【００４６】
次に、本実施の形態を第３の実施の形態に基づいて行う場合は、
図７（第３の実施の形態の構成）において、
・親機１０に、人体検知センサ２３を新たに備え、
・子機２０に、子機ユーザ距離別音量レベル情報１３３を含む記憶部１３を新たに備える。
【００４７】
動作については、図９に示した第３の実施の形態の動作において、以下に示す部分を修正したものとなる。
・ステップＣ２において人体検知だけを子機２０に指示し、ステップＣ３における子機２０での着信音鳴動を削除する。
・親機１０の親機制御部１４は、ステップＣ２の後に、親機１０に新たに備えた人体検知センサ２３により検知範囲内に存在する人体を検出し、人体検出結果を子機２０に送信する。
・子機２０の子機制御部２４は、ステップＣ５の後に、受信した人体検出結果を基にステップＣ６〜ステップＣ８と同じ動作を行い、子機着信音出力部２２の出力音量レベルを制御する。
・ステップＣ１０においては、子機２０だけでなく親機１０での人体検知も続けて行うよう指示する。
【００４８】
以上説明したように、本実施の形態においては、親機１０側で子機２０側の人の存否や距離等に応じた着信音の制御を行うとともに、子機２０側でも親機１０側の人の存否や距離等に応じた着信音の制御を行うようにした。これにより、親機１０，子機２０双方に対して相手電話機周辺の人の存否や電話機への接近状況等を知らせることができるという効果が得られる。
【００４９】
次に、本発明の応用例，変形例等について説明する。
【００５０】
・上述した第１〜第４の実施の形態においては、着信音の音量レベルを変更するとして説明したが、着信音制御情報として音量レベルの代わりに着信音の種類を規定し、着信音の種類を変更するようにしてもよい。この場合は、子機ユーザ検知状況別音量レベル情報１３１，タイマカウント値別音量レベル情報１３２，子機ユーザ距離別音量レベル情報１３３における音量レベルを着信音の種類に置き換えて登録しておくものとする。
【００５１】
・上述した第３または第４の実施の形態においては、距離に応じた音量レベルで着信音を鳴動させるとして説明したが、これに加え、または音量レベルに代えて、距離に応じてＬＥＤ(Light Emitting Diode)等の発光素子の点滅速度を制御するようにしてもよい。この場合は、親機１０や子機２０に新たにＬＥＤと、距離別ＬＥＤ点滅速度情報が登録された記憶部とを備え、親機制御部１４や子機制御部２４が距離に応じた点滅速度制御を行うことになる。これにより、ＬＥＤの点滅速度を見れば相手電話機への人の接近状況を把握することができるという効果が得られる。
【図面の簡単な説明】
【００５２】
【図１】本発明の第１の実施の形態の構成を示す図である。
【図２】子機ユーザ検知状況別音量レベル情報１３１として格納されるデータの一例を示す図である。
【図３】本発明の第１の実施の形態の動作を示すフローチャートである。
【図４】本発明の第２の実施の形態の構成を示す図である。
【図５】タイマカウント値別音量レベル情報１３２として格納されるデータの一例を示す図である。
【図６】本発明の第２の実施の形態の動作を示すフローチャートである。
【図７】本発明の第３の実施の形態の構成を示す図である。
【図８】子機ユーザ距離別音量レベル情報１３３として格納されるデータの一例を示す図である。
【図９】本発明の第３の実施の形態の動作を示すフローチャートである。
【符号の説明】
【００５３】
１０    親機
１１    親機無線部
１２    親機着信音出力部
１３    記憶部
１３１    子機ユーザ検知状況別音量レベル情報
１３２    タイマカウント値別音量レベル情報
１３３    子機ユーザ距離別音量レベル情報
１４    親機制御部
１５    タイマ
２０    子機
２１    子機無線部
２２    子機着信音出力部
２３    人体検知センサ
２４    子機制御部
【図１】
2009027657.tif 000003
【図２】
2009027657.tif 000004
【図３】
2009027657.tif 000005
【図４】
2009027657.tif 000006
【図５】
2009027657.tif 000007
【図６】
2009027657.tif 000008
【図７】
2009027657.tif 000009
【図８】
2009027657.tif 000010
【図９】
2009027657.tif 000011